(57)【特許請求の範囲】
【請求項１】
肛門から挿入される筒体の先端に、腸壁を保護する保護体を拡縮自在に取付けるとともに、保護体の内面又は内部に保護体が拡がった位置で対向する保護体内面に向けて噴水する噴水ノズル（２ｄ）を設けるとともに、噴水を受ける保護体内面に噴水によって破損しにくい厚手のプラスチック・ゴム板，金属板又はセラミック板素材の受水面を設け、筒体の内部通路を吸引ポンプと接続して筒体の先端開口から腸内物・液体を吸引して排出できるようにしたことを特徴とする排便装置。
【請求項２】
肛門から挿入される筒体の先端部を開口し、筒体内を吸引ポンプと接続して負圧吸引力を発生させて筒体の先端から腸内物を吸引して筒体内を介して排出する排便装置に於いて、筒体の内部に噴水が筒体内の対向面に当たって排出方向に流れるようにした噴水ノズル（２１）を設け、噴水ノズル（２１）からの噴水によって筒体内の腸内物の破砕を行う排便装置。
【請求項３】
筒体の先端に腸内物を破砕・掻き込みを行う先端破砕装置を設けた請求項２記載の排便装置。
【発明の詳細な説明】
【０００１】
【発明の属する技術分野】
本発明は、腸内の排出できにくい宿便の強制排出、及び自己排便力の弱い人、又は失われた人（老人・病人）の為の直腸内の腸内物の強制排便装置である。
【０００２】
【従来の技術】
従来、腸内の排出しにくい宿便等は、医師・看護士が肛門から指を挿入し、指でもって強制的に排出するようにしていた。この方法は、手間と熟練を要する作業であった。
本出願人は、これを解消すべく、ポンプで筒体内を負圧にして腸内物を吸引排出しながら、筒体の先端に腸内物を破砕・掻き出す機構を設けて、硬くなった便・吸引排出しにくい塊状の便を小さく破砕して吸引して排出する装置を開発した。
この開発した装置でも、便の破砕が不充分な場合があった。又、破砕・分断が不充分になると筒体内又はこれと接続された排出路途中で腸内物が詰まって排便機能が停止することが生じることがあった。
【０００３】
【発明が解決しようとする課題】
本発明が解消しようとする課題は、従来の問題点を解消し、腸内物の破砕・分断能力が高い排便装置を提供することにある。又第２の課題は筒体内・排出路中で腸内物が詰まることが少なく、確実に排出できるようにすることにある。
【０００４】
【課題を解決するための手段】
かかる課題を解決した本発明の構成は、
１）  肛門から挿入される筒体の先端に、腸壁を保護する保護体を拡縮自在に取付けるとともに、保護体の内面又は内部に保護体が拡がった位置で対向する保護体内面に向けて噴水する噴水ノズル（２ｄ）を設けるとともに、噴水を受ける保護体内面に噴水によって破損しにくい厚手のプラスチック・ゴム板，金属板又はセラミック板素材の受水面を設け、筒体の内部通路を吸引ポンプと接続して筒体の先端開口から腸内物・液体を吸引して排出できるようにしたことを特徴とする排便装置
２）  肛門から挿入される筒体の先端部を開口し、筒体内を吸引ポンプと接続して負圧吸引力を発生させて筒体の先端から腸内物を吸引して筒体内を介して排出する排便装置に於いて、筒体の内部に噴水が筒体内の対向面に当たって排出方向に流れるようにした噴水ノズル（２１）を設け、噴水ノズル（２１）からの噴水によって筒体内の腸内物の破砕を行う排便装置
３）  筒体の先端に腸内物を破砕・掻き込みを行う先端破砕装置を設けた前記２）記載の排便装置
にある。
【０００５】
【発明の実施の形態】
請求項１記載の発明では、筒体を肛門から挿入し、直腸内で筒体の先端の保護体を拡げ、次に圧力をかけた水・温水を噴水ノズル（２ｄ）から保護体の対向面に向けて噴出する。保護体内の腸内物は、その噴水によって切断され、破砕される。噴水は保護体の対向面に設けた受水面に当たるので腸壁を傷つけることはない。
次に請求項２，３記載の発明では、筒体の先端から腸内物はその負圧で吸引されるとともに、筒体内において噴水ノズル（２１）からの噴水で破砕するものは簡単な構造で破砕でき、しかも排出方向に流下するようにしているので、排出力を高めることができるので更に効果的である。
本発明の噴水ノズルは、一個でも複数でもよいが、少ないときは噴水ノズルを回転させたり、起伏して広い範囲で噴水で破砕できるようにするのが好ましい。この場合の噴水ノズルの回転・起伏は手動・電動・水圧利用いずれの動力源でもよい。
本発明の噴水ノズルの位置は、保護体内の位置、筒体の先端開口部付近、筒体の先端の突出させた挿入部（拡縮しない保護体）内部の位置、筒体内の途中その排出口付近の位置に設けることがあり、いずれも本発明の一形態である。
【０００６】
【実施例】
以下、本発明の実施例を図面に基づいて説明する。
実施例１（図１〜４参照）
図１は、実施例１の使用状態の縦断面図である。
図２は、実施例１の使用状態の平面図である。
図３は、図１のＡ−Ａ断面図である。
図４は、実施例１の使用前の状態の先端部分の縦断面図である。
図１〜４に示す実施例１は外筒と内筒の二重筒構造の筒体の外筒の先端に拡縮自在な保護体を設け、同保護体の内面に複数の噴水ノズルと強い強度の水受面を設けた例である。
図中、１は筒体、１ａは外筒、１ｂは内筒、２は外筒１ａ先端に取付けた保護体、２ａは保護体骨格となる外筒１ａ先端に一体的に連結された回動片、２ｂは同回動片間に張り付けた膜体、２ｃは内筒１ｂの先端の回動片係合溝１ｃと接衝して回動片を外方へ拡げる突起、２ｄは保護体２の内面に設けた噴水ノズル、２ｅは同噴水ノズルへの給水管、２ｆは噴水ノズル２ｄからの水流を受ける肉厚のゴム製受水面、３は内筒１ｂの内部と接続される排出チューブ、４は同排出チューブと接続されるスクイズ式吸引ポンプ、５は排出チューブからの腸内物・液体を収容する収容容器、６は外筒１ａに設けた膨縮自在なバルーン、７は給水管２ｅへ温水を加圧して送る給水ポンプ、８は挿入時に被せる水溶性キャップ、９は温水タンク、１０は温水分板管、１１・１２は把手、１３はバルーン６への送気チューブ、１４は排出口である。
この実施例１では、図４に示すように保護体２を収縮してその先端に水溶性キャップ８を被せてから肛門から挿入する。挿入後、バルーン６に空気を圧入して環状に膨張させて筒体１を肛門に固定する。その後、給水ポンプ７を作動させて噴水ノズル２ｄから低圧の噴水を噴出し、保護体２内を温水で充填させ、又水溶性キャップ８を溶解して除去する。噴水ノズル２ｄの一個は低圧で水溶性キャップ８へ向けられて噴水するようにして水溶性キャップ８をよく溶解する。その後内筒１ｂのみを先端方向に押し込んで回動片２ａの突起２ｃを押圧して、回動片２ａは薄い連結部を介して回転し、膜体２ｂが拡がった位置で回転が止まる。次に給水ポンプ７からの圧力水は給水管２ｅを経て保護体２の内面の噴水ノズル２ｄから噴水される。噴水は保護体２内の腸内物を水圧で貫通し、又は水圧で腸内物を破砕する。貫通した噴水ノズルは対向面の肉厚のゴム層で受けられ、保護体２が破砕することなく受けられる。このように、噴水ノズルで腸内物を破砕、粉砕するので容易に腸内物を筒体の先端開口から吸引できるようにする。
実施例２（図５参照）
又、筒体１の内筒１ｂ内に噴水ノズル２１による破砕装置２０を設けたのが、図５に示す実施例２である。この筒体１の内筒１ｂ内で給水チューブ２２により温水を給水し、噴水ノズル２１で腸内物を破砕するのでこれにより後方での詰まりを少なくし、又水流が排出方向にすることで更に排出力が高まり、詰まることなくより確実に排出できる。
尚、図５の実施例では水溶性キャップ８を溶解する給水路は図中省略している。又、図５では筒体１の先端に先端破砕装置３０を設けていて、モータ３１で回転軸３２を回転させ、その先端に取付けた通過孔有りの回転体３３を回転させ、同回転体３３に突設させた破砕刃３４で保護体２内の回動片２ａ内の腸内物（便）を破砕し、それを吸引ポンプ４によって吸引して排出する。図中３５は切換弁、３６はカップリングである。他は実施例１と同様な構造、作用効果である。
【０００７】
【発明の効果】
以上の様に、本発明によれば、筒体の先端の保護体内又は筒体で噴水によって腸内物を破砕することで腸内物の排出力を高め、詰まりを少なくできた。
【図面の簡単な説明】
【図１】実施例１の使用状態の縦断面図である。
【図２】実施例１の使用状態の平面図である。
【図３】図１のＡ−Ａ断面図である。
【図４】実施例１の使用前の状態の先端部分の縦断面図である。
【図５】実施例２を示す縦断面図である。
【符号の説明】
１  筒体
１ａ  外筒
１ｂ  内筒
１ｃ  係合溝
２  保護体
２ａ  回動片
２ｂ  膜体
２ｃ  突起
２ｄ  噴水ノズル
２ｅ  給水管
２ｆ  受水面
３  排出チューブ
４  吸引ポンプ
５  収容容器
６  バルーン
７  給水ポンプ
８  キャップ
９  温水タンク
１０  温水分板管
１１  把手
１２  把手
１３  送気チューブ
１４  排出口
２０  破砕装置
２１  噴水ノズル
２２  給水チューブ
３０  先端破砕装置
３１  モータ
３２  回転軸
３３  回転体
３４  破砕刃
３５  切換弁
３６  カップリング
【図１】
0003615974.tif 000002
【図２】
0003615974.tif 000003
【図３】
0003615974.tif 000004
【図４】
0003615974.tif 000005
【図５】
0003615974.tif 000006